(57)【特許請求の範囲】
【請求項１】
装置本体内に飛散トナー等の塵体を集塵する集塵ファンと、集塵ファンによって集塵された塵体を除去するフィルタと、このフィルタを着脱可能に挿入するケースとを有する除塵装置を具えた画像形成装置において、
前記フィルタの一側縁には、フィルタ交換操作の際に把持される把手部が突設され、前記ケースの開閉蓋には、前記把手部が係脱可能に嵌合する係合孔が設けられ、且つ、前記フィルタが前後及び表裏において正規の位置に挿入されないと前記把手部と前記係合孔とが嵌合しないよう構成されていることを特徴とする画像形成装置。
【請求項２】
前記フィルタは、除塵フィルタとオゾンフィルタとからなることを特徴とする請求項１に記載の画像形成装置。
【発明の詳細な説明】
【０００１】
【発明の属する技術分野】
この発明は、ファクシミリ・プリンタ・複写機等の電子写真装置の画像形成装置に関する。
【０００２】
【従来の技術】
図３には、この発明が適用される従来の画像形成装置の１例の概略構成が線図的に示されている。この画像形成装置において、21はスキャナ冷却ファン、22は定着ファン、23は装置本体後ファン、24はスキャナ排風ファン、26は搬送ファン、27は帯電ファン、28は集塵ファン29と、集塵ファン29によって集塵された塵体及びを除去する除塵フィルタ30及びオゾンフィルタ31と、フィルタ30，31を着脱可能に挿入するケース32とを有する除塵装置、33，34，35はダクトをそれぞれ示す。
【０００３】
このようなものにおいては、現像器上部の飛散トナーＡと、帯電ＣＨ内のオゾンＢとはダクト33で集合し、これが現像器下部の飛散トナーＣとダクト34で集合して、除塵装置28に搬送される。そして除塵フィルタ30を大きくしたり、蛇腹状にしてその断面積を大きくしたりして、除塵フィルタ30における通過風速を低下させることによって、集塵効率を向上させるようになっている。また装置本体のレイアウトの関係から断面積を大きくすることが困難な場合には、除塵フィルタ30の密度を上げたり、厚さを増大したりしていた。ところが除塵フィルタ30の密度を上げたり、厚さを増大したりすると、静圧が上昇して防塵能力が低下することから、集塵ファン29のパワーアップが必要となり、また騒音が増大するという問題がある。
【０００４】
そこでこのような問題を解消しようとすることで、除塵フィルタ30の数を増加し、これではスペースが増大するので、サービスマン等が反対に数を減少させたり、下流側の除塵フィルタ30を上流側に移動することができるようにして、サービスコストを低減できるようにしたものがある。
【０００５】
【発明が解決しようとする課題】
しかしながらサービスマン等がこのような操作を行う場合や、除塵フィルタ30の除塵効率の低下等が発生した場合に、除塵フィルタ30を交換する際に、除塵フィルタ30の表裏を逆向きにして取付けたりすることがあり、このようにすると、除塵フィルタ30の上流面に付着していた飛散トナーが、そのまま下流側に移動してしまうために、除塵効率が低下するということが起こる。そこでこれを避ける対策として、部品に色や文字等の目印をつけることとなるが、これだけでは満足することができるような結果がえられないという問題がある。
【０００６】
そこでこの発明の目的は、前記のような従来の画像形成装置のもつ問題を解消し、構成が簡単であって、サービスマン等がフィルタを交換する際等に、フィルタの表裏を逆向きにして取付けたりすることがない画像形成装置を提供するにある。
【０００７】
【課題を解決するための手段】
この発明は、前記のような目的を達成するために、装置本体内に飛散トナー等の塵体を集塵する集塵ファンと、集塵ファンによって集塵された塵体を除去するフィルタと、このフィルタを着脱可能に挿入するケースとを有する除塵装置を具えた画像形成装置において、前記フィルタの一側縁には、フィルタ交換操作の際に把持される把手部が突設され、前記ケースの開閉蓋には、前記把手部が係脱可能に嵌合する係合孔が設けられ、且つ、前記フィルタが前後及び表裏において正規の位置に挿入されないと前記把手部と前記係合孔とが嵌合しないよう構成されていることを特徴とし、これによりフィルタを交換する際等に、フィルタの表裏を逆向きにして取付けたりすることがない。
【０００８】
請求項２に記載の発明は、フィルタは、除塵フィルタとオゾンフィルタとからなることを特徴とするものである。
【００１０】
【発明の実施の形態】
図１，２は、前記の画像形成装置の第１，２実施形態のフィルタ及びそのケースの斜視図である。これらの実施形態において、前記従来のものと同様の部分には、同一の符号を付して説明を省略し、主として異なる部分について説明する。
【００１１】
第１実施形態において、ケース32は立方形となっていて、前後面に矢印Ｉ，Ｏに示す給気、排気のための開口33（給気開口は図示を省略）が、また側面に除塵フィルタ30及びオゾンフィルタ31挿脱用の開口34が設けられている。そして除塵フィルタ30の一部（この実施形態では後部上角部）に係止凸部36が設けられ、ケース32の頂板37に、挿入した除塵フィルタ30の係止凸部36が嵌入される係止凹部38が設けられている。
【００１２】
前記のようなものにおいて、除塵フィルタ30のいずれかを交換するに際しては、除塵フィルタ30中の交換を必要とするものを、ケース32から取り出して新しい除塵フィルタ30を挿入することとなるが、この際挿入される除塵フィルタ30の姿勢が、前後及び表裏において正規の位置となっていないと、係止凸部36がケース32の挿脱用の開口34の縁辺に衝突して、挿入が阻止されることになり、これによつてサービスマン等の誤操作が直ちに確認されることとなり、あらためて正規な位置への挿入操作が実行されて、逆向きで挿入されることが阻止される。
【００１３】
図２に示す第２実施形態は、係止凸部35は除塵フィルタ30の一側縁に突設された把手部を兼用し、ケース32の開口34の開閉蓋39に、係止凸部35が係脱可能に嵌合する係合孔41が設けられていて、除塵フィルタ30の交換時に、サービスマン等が操作の際係止凸部35を把持することができて、操作が容易となる点を除いては、第１実施形態と異なることがない。
【００１４】
【発明の効果】
請求項１，２に記載の発明は、装置本体内に飛散トナー等の塵体を集塵する集塵ファンと、集塵ファンによって集塵された塵体を除去するフィルタと、このフィルタを着脱可能に挿入するケースとを有する除塵装置を具えた画像形成装置において、前記フィルタの一側縁には、フィルタ交換操作の際に把持される把手部が突設され、前記ケースの開閉蓋には、前記把手部が係脱可能に嵌合する係合孔が設けられ、且つ、前記フィルタが前後及び表裏において正規の位置に挿入されないと前記把手部と前記係合孔とが嵌合しないよう構成されているので、サービスマン等がフィルタを交換する際等に、フィルタの表裏を逆向きにして取付けたりすることがなく、しかも構成が簡単で安価に提供することができるという効果がある。また、フィルタの交換時に、サービスマン等が操作の際係止突部を把持することができて、操作が容易となるという効果がある。
【図面の簡単な説明】
【図１】  この発明における第１実施形態の防塵フィルタの斜視図である。
【図２】  同第２実施形態の防塵フィルタの斜視図である。
【図３】  この発明が適用される従来の画像形成装置の１例の線図的概略構成説明図である。
【符号の説明】
28  除塵装置                29  集塵ファン
30  除塵フィルタ            31  オゾンフィルタ
32  ケース                  33  開口
34  開口                    35  係止凸部
36  係止凸部                37  頂板
38  係止凹部                39  開閉蓋
41  係合孔
【図１】
0003955711.tif 000002
【図２】
0003955711.tif 000003
【図３】
0003955711.tif 000004